(57)【要約】【課題】薄型化しても耐荷重性の高い便器洗浄タンクを提供すること。【解決手段】洗浄水を貯留するタンク本体４１と、タンク本体４１の下部に設けられてタンク本体４１を便器本体２１に固定するベースプレート４３と、を備える便器洗浄タンク４であって、ベースプレート４３は、ベースプレート本体４３０の前端に立設される前壁部４３３を有すると共に、前壁部４３３の内側に、前壁部４３３の高さ方向の中途部からベースプレート本体４３０にかけて、段差部４３５又は傾斜部４３９を一体に有する。【選択図】図６
2019190244.tif 000002
【特許請求の範囲】
【請求項１】
洗浄水を貯留するタンク本体と、前記タンク本体の下部に設けられて前記タンク本体を便器本体に固定するベースプレートと、を備える便器洗浄タンクであって、
前記ベースプレートは、ベースプレート本体の前端に立設される前壁部を有すると共に、前記前壁部の内側に、前記前壁部の高さ方向の中途部から前記ベースプレート本体にかけて、段差部又は傾斜部を一体に有する、便器洗浄タンク。
【請求項２】
前記ベースプレートは、前記ベースプレート本体の後端に立設される後壁部を有すると共に、前記後壁部の内側に、前記後壁部の高さ方向の中途部から前記ベースプレート本体にかけて、段差部又は傾斜部を一体に有する、請求項１に記載の便器洗浄タンク。
【請求項３】
前記段差部又は前記傾斜部は、前記ベースプレートの下方に向けて開放するスリット状の肉抜き部を有する、請求項１又は２に記載の便器洗浄タンク。
【請求項４】
前記段差部又は前記傾斜部よりも上側の壁高さをＨ１、前記段差部又は前記傾斜部の高さをＨ２としたとき、Ｈ１：Ｈ２＝３：１〜１：１である、請求項１〜３のいずれか１項に記載の便器洗浄タンク。
【請求項５】
便器本体と、前記便器本体に供給する洗浄水を貯留する請求項１〜４のいずれか１項に記載の便器洗浄タンクと、を備える、便器装置。
【発明の詳細な説明】
【技術分野】
【０００１】
本発明は、便器洗浄タンクに関し、詳しくは、洗浄水量を確保しながらも、タンク本体の奥行方向の寸法を小さくした薄型の便器洗浄タンクに関する。
【背景技術】
【０００２】
従来、洗浄水を貯留するタンク本体を備え、便器本体に固定される便器洗浄タンクが知られている（例えば、特許文献１参照）。
【先行技術文献】
【特許文献】
【０００３】
【特許文献１】特開２０１０−７４５１号公報
【発明の概要】
【発明が解決しようとする課題】
【０００４】
近年、便器装置において、便器の前出寸法の縮小化が求められている。このような便器装置を、便器に便器洗浄タンクが固定される便器装置により構成する場合、便器の前出寸法を縮小するためには、便器洗浄タンクを薄型化することが必要である。
【０００５】
しかし、便器洗浄タンクを薄型化すると、使用者が便器洗浄タンクに凭れ掛かる等することによって便器洗浄タンクに荷重が掛かると、便器洗浄タンクの底面積が小さいために、その荷重を便器洗浄タンク自身で受け止めきれない場合がある。この場合、便器洗浄タンクの損傷につながる懸念があるため、従来、特に、便器洗浄タンクの薄型化を図る上で課題を有していた。
【０００６】
本発明は、耐荷重性の高い便器洗浄タンクを提供することを目的とする。
【課題を解決するための手段】
【０００７】
（１）  本発明に係る便器洗浄タンクは、洗浄水を貯留するタンク本体（例えば、後述のタンク本体４１）と、前記タンク本体の下部に設けられて前記タンク本体を便器本体（例えば、後述の便器本体２１）に固定するベースプレート（例えば、後述のベースプレート４３）と、を備える便器洗浄タンク（例えば、後述の便器洗浄タンク４）であって、前記ベースプレートは、ベースプレート本体（例えば、ベースプレート本体４３０）の前端に立設される前壁部（例えば、後述の前壁部４３３）を有すると共に、前記前壁部の内側に、前記前壁部の高さ方向の中途部から前記ベースプレート本体にかけて、段差部（例えば、後述の段差部４３５）又は傾斜部（例えば、後述の傾斜部４３９）を一体に有する。
【０００８】
（２）  （１）に記載の便器洗浄タンクにおいて、前記ベースプレートは、前記ベースプレート本体の後端に立設される後壁部（例えば、後述の後壁部４３４）を有すると共に、前記後壁部の内側に、前記後壁部の高さ方向の中途部から前記ベースプレート本体にかけて、段差部（例えば、後述の段差部４３６）又は傾斜部を一体に有することが好ましい。
【０００９】
（３）  （１）又は（２）に記載の便器洗浄タンクにおいて、前記段差部又は前記傾斜部は、前記ベースプレートの下方に向けて開放するスリット状の肉抜き部（例えば、後述の肉抜き部４３７、４３８）を有することが好ましい。
【００１０】
（４）  （１）〜（３）のいずれかに記載の便器洗浄タンクにおいて、前記段差部又は前記傾斜部よりも上側の壁高さをＨ１、前記段差部又は前記傾斜部の高さをＨ２としたとき、Ｈ１：Ｈ２＝３：１〜１：１であることが好ましい。
【００１１】
（５）  本発明に係る便器装置（例えば、後述の便器装置１）は、便器本体（例えば、後述の便器本体２１）と、前記便器本体に供給する洗浄水を貯留する（１）〜（４）のいずれかに記載の便器洗浄タンク（例えば、後述の便器洗浄タンク４）と、を備える。
【発明の効果】
【００１２】
本発明によれば、耐荷重性の高い便器洗浄タンクを提供することができる。
【図面の簡単な説明】
【００１３】
【図１】本発明に係る便器洗浄タンクを備える便器装置の斜視図である。
【図２】本発明に係る便器洗浄タンクの内部を示す平面図である。
【図３】本発明に係る便器洗浄タンクの一部を分解して示す斜視図である。
【図４】本発明に係る便器洗浄タンクの下部構造を拡大して示す断面図である。
【図５】ベースプレートの平面図である。
【図６】図５中のＡ−Ａ線に沿うベースプレートの断面図である。
【図７】（ａ）は本発明に係るベースプレートの前壁部の断面を模式的に示す図であり、（ｂ）は比較例に係るベースプレートの前壁部の断面を模式的に示す図である。
【図８】ベースプレートの撓みを説明する模式図である。
【発明を実施するための形態】
【００１４】
以下、本発明の実施形態について図面を参照して詳細に説明する。
本実施形態に示す便器装置１は、図１に示すように、便器２が床面ｆ１に設置される床置きタイプの便器装置を示している。便器装置１は、便器２と、この便器２の後方に配置される便器洗浄装置３と、を備えている。なお、以下の説明において、便器２に着座した使用者から見た場合の前後の向きを前後方向とする。また、便器２に着座した使用者から見た場合の左右の向きを幅方向とする。更に、床面ｆ１に対する鉛直方向に沿う上下の向きを上下方向とする。
【００１５】
便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。
【００１６】
便器洗浄装置３は、便器本体２１の後部に配置されている。便器洗浄装置３は、便器洗浄タンク４と、便器洗浄タンク４の外装体であるタンクカバー５と、を含んで構成される。
【００１７】
本実施形態に示すタンクカバー５は、便器洗浄タンク４の前方を覆う前カバー５１と、便器洗浄タンク４の側方及び後方を覆う後カバー５２と、便器洗浄タンク４の上方を覆う上カバー５３と、を有する。前カバー５１と上カバー５３は、後カバー５２に対して着脱可能に取り付けられる。これにより、便器洗浄タンク４の全体がタンクカバー５によって遮蔽され、見栄えが良好となり、意匠性が向上する。
【００１８】
便器洗浄タンク４の下方の便器２の後方側は、左右一対の下カバー５４によって覆われている。これにより、便器２の後方側に配置される配管部品（図示せず）等が目隠しされると共に、便器２の後方側が便器洗浄装置３から下方向に延びる薄型の箱体形状となり、意匠的な統一感が生み出されて意匠性が更に向上する。
【００１９】
便器洗浄タンク４は、図３に示すように、タンク本体４１と、内蓋４２と、ベースプレート４３と、防露材４４と、補強フレーム４５と、備えている。なお、図３では、便器２のうちの便器本体２１のみ破線で示し、便座２２、便蓋２３、機能部２４の図示を省略している。
【００２０】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面ｆ１に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。その結果、このタンク本体４１を有する便器洗浄タンク４を備えた便器装置１は、前後方向の寸法（前出寸法）を縮小化することが可能である。
【００２１】
なお、本実施形態に示すタンク本体４１は、前後方向よりも左右方向（幅方向）に長く形成されている。具体的には、このタンク本体４１は、前後方向の長さ（奥行き）と左右方向の長さ（幅）と高さとの比が、２：５．４：５．７となるように形成されている。
【００２２】
タンク本体４１の内部には洗浄水が貯留されると共に、図２に示すように、便器洗浄用の内部部品が収容される。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００２３】
内蓋４２は、タンク本体４１の上面開口部４１１（図２参照）を被蓋するようにタンク本体４１に対してねじ止めされている。具体的には、内蓋４２は、内蓋本体４２１と、点検蓋４２２とで構成される。内蓋本体４２１は、上面開口部４１１の周縁に沿って装着され、タンク本体４１に対してねじ止めされる。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００２４】
ベースプレート４３は、タンク本体４１の下部に取り付けられている。ベースプレート４３は、タンク本体４１よりも硬質な樹脂によって形成され、タンク本体４１の底面形状に略等しい平面形状を有している。ベースプレート４３は、タンク本体４１の下面を支持すると共に、ベースプレート４３の底部から突出する一対の緊締ボルト４３１（図３参照）によって、便器本体２１の後部の上面２１ａに固定されることにより、タンク本体４１を便器本体２１に固定する機能を有する。
【００２５】
タンク本体４１とベースプレート４３との取付け構造を図４に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図４において図示せず）の弁座を構成する部品であり、下面開口部４１３よりも大径なフランジ部４６１を有している。弁座シート４６は、フランジ部４６１とタンク本体４１との間にパッキン４６ａを挟むようにして、タンク本体４１の内側から装着されている。
【００２６】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２７】
一方、ベースプレート４３の中央部には、円形の開口部４３２（図５参照）が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２８】
タンク本体４１に固定されたベースプレート４３は、下面に突設される一対の緊締ボルト４３１を、便器本体２１の上面２１ａに設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００２９】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むようにタンク本体４１の外周面に装着されている。防露材４４は、少なくともタンク本体４１内に貯留される洗浄水の水位に対応する高さを有する。
【００３０】
この防露材４４は、前側防露材４４１と後側防露材４４２とに前後方向に２分割されているため、成形型から離型するための抜き勾配が前後方向に設けられ、上下方向には設けられない。これにより、前側防露材４４１と後側防露材４４２とが組み合わされて構成される防露材４４は、便器洗浄タンク４の前面側及び後面側において上下方向に沿って垂直に延びる面を形成することができる。その結果、便器洗浄タンク４を薄型化しても、防露材の上下方向の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図ることが可能となり、便器装置１の前後方向の寸法（前出寸法）を更に縮小化することが可能である。
【００３１】
本実施形態に示す補強フレーム４５は、図３に示すように、便器洗浄タンク４の両側面に配置される金属製の側面フレーム部材４５１と、便器洗浄タンク４の前面側に幅方向に延びるように配置される金属製の補強ステー４５２と、を有している。
【００３２】
側面フレーム部材４５１は、ベースプレート４３の幅方向の両端面４３ａに、それぞれ固定ねじ４５ａによって固定されている。側面フレーム部材４５１は、ベースプレート４３からタンク本体４１の略１／２の高さに亘る範囲の便器洗浄タンク４の側面を覆うように配置されている。側面フレーム部材４５１は、平面視コ字型に形成されており、ベースプレート４３に取り付けられることによって、前側防露材４４１と後側防露材４４２とが前後に開かないように、防露材４４を前後方向から挟持している。
【００３３】
なお、タンクカバー５の後カバー５２は、この側面フレーム部材４５１にねじ固定されている。この後カバー５２に前カバー５１及び上カバー５３が取り付けられることにより、タンクカバー５は、側面フレーム部材４５１及びベースプレート４３を介して便器本体２１に固定される。
【００３４】
補強ステー４５２の両端部は、左右の側面フレーム部材４５１に固定ねじ４５ｂによってそれぞれ固定されている。これにより、左右の側面フレーム部材４５１同士が補強ステー４５２によって連結され、側面フレーム部材４５１に生じるスプリングバック等によって側面フレーム部材４５１が左右方向に広がることを防止している。
【００３５】
補強フレーム４５は、使用者がタンクカバー５に凭れ掛かった際に、その荷重を受けてタンク本体４１に荷重を直接作用させないように機能する。補強ステー４５２に作用する荷重は、補強ステー４５２の両端部から各側面フレーム部材４５１に伝達される。側面フレーム部材４５１は、タンク本体４１よりも堅牢なベースプレート４３に固定されているため、補強ステー４５２から伝達される荷重を効果的に受け止め、ベースプレート４３を介して便器本体２１に逃がすことができる。
【００３６】
なお、前後方向に分割された防露材４４は、抜き勾配も前後方向に設けられるため、図３に示すように、前側防露材４４１の前面には、補強フレーム４５の補強ステー４５２を収容する凹部４４ａと側面フレーム部材４５１を収容する凹部４４ｂとを有することができる。これにより、補強フレーム４５の前方への突出量を抑えることができるため、補強フレーム４５を設けてもタンク本体４１のタンク容積の減少を招くことなく、便器洗浄タンク４を薄型化することができる。
【００３７】
次に、ベースプレート４３について更に説明する。本実施形態に示すベースプレート４３は、図５に示すように、タンク本体４１の底面形状に略等しい形状を有するベースプレート本体４３０を有する。ベースプレート本体４３０の上面側（タンク本体４１が取り付けられる面側）の四周縁には、上方に向けて延びる壁部が立設されている。特に、ベースプレート本体４３０の上面側の前端縁（図５における右端縁）には、上方に向けて延びる前壁部４３３が立設されていると共に、ベースプレート本体４３０の上面側の後端縁（図５における左端縁）には、上方に向けて延びる後壁部４３４が立設されている。
【００３８】
図６に示すように、前壁部４３３の内側には、前壁部４３３の高さ方向の中途部からベースプレート本体４３０にかけて一体に設けられた段差部４３５を有する。段差部４３５は、前壁部４３３の高さ方向の中途部の内面から後方に向けて僅かに突出した後、ベースプレート本体４３０に向けてやや斜め下向きに延びている。これにより、前壁部４３３は、ベースプレート本体４３０との接続部位の幅（前後方向の厚み）が段差部４３５よりも上方の部位に比べて大きくなっている。
【００３９】
ここで、図７（ａ）は、ベースプレート本体４３０に段差部４３５を有する前壁部４３３の断面を模式的に示し、図７（ｂ）は、ベースプレート本体４３０に段差部４３５を有しない前壁部４３３Ａの断面を模式的に示している。ベースプレート４３は樹脂成型品であるため、成形型から離型する際に上下方向に抜き勾配が設けられる。このため、ベースプレート本体４３０に立設される前壁部４３３の断面形状は、上下方向の抜き勾配によって、前壁部４３３の根元部から上端にかけて次第に細くなる形状にならざるを得ない。
【００４０】
図７（ａ）に示すように、ベースプレート本体４３０に段差部４３５を有する前壁部４３３の場合は、上下方向の抜き勾配（図中の斜線で示す）の起点Ｐを、前壁部４３３と段差部４３５との境界部に配置することができるため、前壁部４３３の断面形状は、段差部４３５から上端に行くに従って細くなる。これに対し、図７（ｂ）に示すように、段差部４３５を有しない前壁部４３３Ａの場合、上下方向の抜き勾配（図中の斜線で示す）によって、前壁部４３３Ａの断面形状は、上端に行くに従って細くなる。この場合、前壁部４３３Ａとベースプレート本体４３０との接続部位が抜き勾配の起点Ｐとなる。その結果、ベースプレート本体４３０からの立設高さを同じとした場合、前壁部４３３の上端の幅Ｗ１の方が、前壁部４３３Ａの上端の幅Ｗ２よりも大きくなる。このため、内側に段差部４３５を有する前壁部４３３の方が、厚みの大きい壁部を形成することができる。
【００４１】
前壁部４３３の厚みが大きくなることにより、次のような効果が得られる。即ち、タンク本体４１に後方に傾く力が作用した場合、図８に示すように、便器本体２１との固定部位である一対の緊締ボルト４３１の部位を境にして、緊締ボルト４３１の内側がベースプレート本体４３０下方に向けて撓もうとし、緊締ボルト４３１の外側のベースプレート本体４３０が上方に向けて撓もうとする。このとき、特に前壁部４３３に大きな応力が作用する。本実施形態に示すベースプレート４３は、前壁部４３３の厚みを大きくできることにより、このようなベースプレート４３のねじれに対する強度を向上させることができ、便器洗浄タンク４の耐荷重性を高めることができる。段差部４３５は、前壁部４３３の中途部までの高さであるため、タンク本体４１や防露材４４の取り付けの邪魔になることはない。このため、ベースプレート４３が前方向に大きく突出するようなことはなく、便器洗浄タンク４の薄型化の障害となることはない。
【００４２】
しかも、本実施形態に示すベースプレート４３は、図５に示すように、前面側が前方に向けて凸となるように幅方向に湾曲する曲面となっているため、更にねじれに対する強度を向上させることができる。
【００４３】
前壁部４３３と段差部４３５との関係は、図６に示すように、前壁部４３３における段差部４３５よりも上側の壁高さをＨ１、段差部４３５の高さ（ベースプレート本体４３０の下面から段差部４３５の上面までの高さ）をＨ２としたとき、Ｈ１：Ｈ２＝３：１〜１：１であることが好ましい。これにより、タンク本体４１や防露材４４の取り付けの邪魔になることなく、前壁部４３３の厚みを可及的に大きくしてベースプレート４３に必要な強度を確保することができる。
【００４４】
なお、タンク本体４１に前方に傾く力が作用した場合は、特に後壁部４３４に大きな応力が作用する。このため、図５及び図６に示すように、後壁部４３４の内側にも、段差部４３５と同様の段差部４３６を設けることが好ましい、これにより、後壁部４３４の厚みも大きくできるため、ベースプレート４３のねじれに対する強度を更に向上させることができる。この後壁部４３４と段差部４３６との関係も、上記と同様にＨ１：Ｈ２＝３：１〜１：１の関係を満たすことが好ましい。
【００４５】
段差部４３５、４３６には、図６に示すように、ベースプレート４３の下方に向けて開放するスリット状の肉抜き部４３７、４３８を有することが好ましい。このような肉抜き部４３７、４３８を設けることにより、ベースプレート４３の強度を確保しながら、軽量化を図ることができる。また、肉抜き部４３７、４３８を設けることで、段差部４３５、４３６を本実施形態に示すように屈曲された板状の樹脂で形成でき、樹脂の厚みを抑えることができる。その結果、段差部４３５、４３６を形成する板状の樹脂の厚みを、ベースプレート４３のその他の部位の厚みと同一又は近づけることができるため、厚みの差に起因するヒケの発生を抑制することができる。
【００４６】
以上の実施形態では、前壁部４３３、後壁部４３４の内側に、それぞれ段差部４３５、４３６を設けるようにしたが、段差部４３５、４３６に代えて、前壁部４３３、後壁部４３４の内側に、前壁部４３３、後壁部４３４の内面からベースプレート本体４３０のかけて滑らかに斜め傾斜する傾斜部を一体に設けるようにしても、上記と同様の効果が得られる。図７（ａ）では、前壁部４３３の内側に一体に設けた傾斜部４３９を破線で示している。このような傾斜部４３９は、後壁部４３４の内側にも同様に設けることができる。
【符号の説明】
【００４７】
２１  便器本体
４  便器洗浄タンク
４１  タンク本体
４３  ベースプレート
４３０  ベースプレート本体
４３３  前壁部
４３４  後壁部
４３５  段差部
４３６  段差部
４３７、４３８  肉抜き部
４３９  傾斜部
【図１】
2019190244.tif 000003
【図２】
2019190244.tif 000004
【図３】
2019190244.tif 000005
【図４】
2019190244.tif 000006
【図５】
2019190244.tif 000007
【図６】
2019190244.tif 000008
【図７】
2019190244.tif 000009
【図８】
2019190244.tif 000010